(57)【要約】【課題】この発明は、端子片と、端子金物とを確実に、かつバランスよく接続することを目的としたものである。【解決手段】この発明は、絶縁盤の前後に、夫々端子金物腔を設け、該端子金物腔内へ、接触板、コンタクト及びワイヤークランクバネを有する２つの端子金物を互いに対向させて収容し、前記２つの端子金物のコンタクト部を近接対向させたことを特徴とする端子盤により目的を達成した。【選択図】      図１
2004214022.tif 000002
【特許請求の範囲】
【請求項１】
絶縁盤の前後に、夫々端子金物腔を設け、該端子金物腔内へ、接触板、コンタクト及びワイヤークランクバネを有する２つの端子金物を互いに対向させて収容し、前記２つの端子金物のコンタクト部を近接対向させたことを特徴とする端子盤。
【請求項２】
所定間隔に並べた２枚の接触板の外面に絶縁板との掛止突起を設け、前記接触板の内面に、ほぼ同形の当接板を当接固定し、該当接板の一端を直角に屈して側板を設け、該側板の端縁部を前記当接板と対向するクランプ板を設け、該クランプ板の上方に逆Ｕ状に屈曲したワイヤークランプバネの一側を固定し、該ワイヤークランプバネの他側を前記当接板と対向させ、前記当接板の先端部を下方へ屈曲して、その下端部にＵ字状屈曲部を設けてコンタクト部を形成したことを特徴とする端子盤用端子金物。
【発明の詳細な説明】
【０００１】
【発明の属する技術分野】
この発明は端子盤において、プリント基板などの１つの端子から、端子盤を介して２つのリード線その他の接続部に接続することを目的とした端子盤及びその端子金物に関する。
【０００２】
【従来の技術】
従来左右に配した上下２段のリード線端子と、夫々の端子金物の端子片により、プリント基端などの端子とを挟着する考案が提案されている。
【０００３】
前記は、リード線端子が上下２段になっている場合であっても、均等な接触圧を保つべく工夫されているが、この発明は同一高さにおいて、同一形状の端子金物を２つ使用して均等の接触圧によりプリント基板などの端子を均等に挟着しようとするものである。
【０００４】
【特許文献１】実用新案登録２６０６１７
【０００５】
【発明により解決しようとする課題】
前記従来の技術における２つの金物は、夫々形状構造の異なる金物であって、製造は別々であった。また、一方の板よりなり、剛性が少なく変形し易い問題点があった。また、挟着部の形状についても、狭い場所で確実な接触を保たなければならなかった。
【０００６】
【課題を解決するための手段】
この発明は、左右同一場所へ前後して同一形状の金物を対向設置することにより、安定した挟着部を構成したので、前記従来の問題点を解決したのである。
【０００７】
即ち、この発明は、絶縁盤の前後に、夫々端子金物腔を設け、該端子金物腔内へ、接触板、コンタクト及びワイヤークランクバネを有する２つの端子金物を互いに対向させて収容し、前記２つの端子金物のコンタクト部を近接対向させたことを特徴とする端子盤である。
【０００８】
また、他の発明は、所定間隔に並べた２枚の接触板の外面に絶縁板との掛止突起を設け、前記接触板の内面に、ほぼ同形の当接板を当接固定し、該当接板の一端を直角に屈して側板を設け、該側板の端縁部を前記当接板と対向するクランプ板を設け、該クランプ板の上方に逆Ｕ状に屈曲したワイヤークランプバネの一側を固定し、該ワイヤークランプバネの他側を前記当接板と対向させ、前記当接板の先端部を下方へ屈曲して、その下端部にＵ字状屈曲部を設けてコンタクト部を形成したことを特徴とする端子盤用端子金物である。
【０００９】
前記において、端子金物は２枚の接触板に当接板を介して１枚のコンタクトを設けたけれども、１枚の接触板に当接板を介して１枚のコンタクトを設けることもできる。
【００１０】
【発明の実施の形態】
この発明は、直方体状絶縁盤に複数の端子金物を設置するに当たり、前記絶縁盤に長手方向に直角に、２つの端子金物腔を前後に設け、該端子金物腔内へ前記端子金物を夫々反対向に収容固着して、両端子金物のコンタクト部の協同によってプリント基板などの端子片を挟着できるようにしたものである。
【００１１】
前記端子金物は、接触板に当接板を固定し、当接板にクランプ板を設けてワイヤークランプバネの一側を固定し、他側を当接板と対向させ、前記当接板の屈曲端部を下方へ屈曲して共通のコンタクトを形成し、コンタクトの先端部にＵ字コンタクト部を設けてこの発明の端子金物を構成した。
【００１２】
前記端子金物を反転して前記端子金物腔に収容すれば、夫々の端子金物のクランプ部によって、プリント基板の端子などを挟着することができる。
【００１３】
前記において、２つの当接板から１つのクランプが形成されている。
【００１４】
【実施例】
この発明の実施例を図に基づいて説明すると、直方体状の絶縁盤１の複数の端子金物２を設置するに当たり、前記絶縁盤１に、長手方向に直角に端子金物腔３、３ａを設け、該端子金物腔３、３ａへ前記端子金物２、２を互いに反対向に収容して、各端子金物２、２のコンタクト部１２を小間隔を保って対向させて端子盤５を構成した。
【００１５】
前記端子金物２は、所定間隔を保って縦に並列した接触板４、４ａの外面中央部へ絶縁盤１との掛止突起１３、１３ａを設け、前記接触板４、４ａの内面に、ほぼ同形の当接板６、６ａを当接固定し、該当接板６、６ａの一端を直角に屈曲して側板７、７ａを設け、該側板７、７ａの自由端を、前記当接板６、６ａ側へ直角に屈曲してクランプ板８、８ａを設け、クランプ板８、８ａの上部に、逆Ｕ字状に屈曲したワイヤークランプバネ９、９ａの一側下部を固定し、前記ワイヤークランプバネ９、９ａの他側を、前記当接板６、６ａと対向させて、コンタクト１０の挿入間隔を設ける。前記当接板６、６ａの屈曲板１１、１１ａの先端部を下方へ屈曲して、その下端部にＵ字状の屈曲部よりなるコンタクト部１２を形成した。
【００１６】
前期実施例によれば、プリント基板などの端子片１４を、端子盤の前後に並べた端子金物と接続することができると共に、確実に接続することができる。
【００１７】
【発明の効果】
この発明によれば、端子盤と、プリント基板などの端子とを確実に接続し得ると共に、１つの端子により２つの端子金物と接続し得る効果がある。
【００１８】
この発明の端子金物によれば、２つの接触盤が１つのコンタクト部と連結しているので接触が確実に保持される効果がある。
【図面の簡単な説明】
【図１】この発明の端子盤の実施例の平面図。
【図２】同じく正面図。
【図３】同じく図１中Ａ−Ａ断面拡大図。
【図４】同じく図１中Ｂ−Ｂ断面拡大図。
【図５】同じく端子金物の実施例の拡大斜視図。
【図６】同じく端子金物の実施例の正面図と、背面図を対向配置させた拡大図。
【図７】（ａ）同じく拡大左側面図。
（ｂ）同じく拡大右側面図。
（ｃ）同じく拡大平面図。
（ｄ）同じく拡大底面図。
【符号の説明】
１  絶縁盤
２  端子金物
３、３ａ  端子金物腔
４  接触板
５  端子盤
６、６ａ  当接板
８、８ａ  クランプ板
９、９ａ  ワイヤークランプバネ
【図１】
2004214022.tif 000003
【図２】
2004214022.tif 000004
【図３】
2004214022.tif 000005
【図４】
2004214022.tif 000006
【図５】
2004214022.tif 000007
【図６】
2004214022.tif 000008
【図７】
2004214022.tif 000009